(57)【要約】      （修正有）【課題】特に吐水した水で手を洗う時には、水が飛び散ることはないと共に、水を無駄なく有効的に利用することができるので、使用利便性に優れ、且つ水を最大限節約することができる蛇口を提供する。【解決手段】ベースと、ベースから湾曲するように上部前方に向かって延出する首部と、首部の前端に設けられる頭部と、それらベース、首部及び頭部の内部を貫通する吐水管とからなる蛇口本体を有し、吐水管におけるベースの底面に入水口が形成されると共に、吐水管における頭部に高さが広さより長い吐水口が形成される。【選択図】図１
0003161648.tif 000002
【実用新案登録請求の範囲】
【請求項１】
ベースと、該ベースから湾曲するように上部前方に向かって延出する首部と、該首部の前端に設けられる頭部と、それらベース、首部及び頭部の内部を貫通する吐水管とからなる蛇口本体を有し、該吐水管におけるベースの底面に入水口が形成されると共に、該吐水管における頭部に高さが広さより長い吐水口が形成されることを特徴とする蛇口。
【請求項２】
前記吐水口は、逆三角形を呈することを特徴とする請求項１に記載の蛇口。
【請求項３】
前記吐水口は、上段部、中段部及び下段部に夫々対称的に形成される上段吐水口と、中段吐水口と、下段吐水口とを備え、その内、上段吐水口は、該吐水口の上段部に形成されると共に、横長の長方形を呈するであるものであり、該中段吐水口は、該吐水口の中段部に形成されると共に、横長の長方形を呈し、該上段吐水口よりも小さいものであり、該下段吐水口は、該吐水口の下段部に形成されると共に、横長の長方形を呈し、該中段吐水口のよりも小さいものであることを特徴とする請求項１に記載の蛇口。
【請求項４】
前記吐水口は、縦長の長方形を呈することを特徴とする請求項１に記載の蛇口。
【考案の詳細な説明】
【技術分野】
【０００１】
本考案は、特に水を節約することができる蛇口に関するものである。
【背景技術】
【０００２】
蛇口は、一般的に洗面所に設置され、末端から吐水させて水道水を提供するものである。
【０００３】
従来の蛇口から吐水された水は、蛇口の形状により、円形や長方形などの形状にすることができる。
【考案の概要】
【考案が解決しようとする課題】
【０００４】
通常、手を洗う時には、手の平を蛇口の吐水口の近づけ、吐水した水で手を洗う。従って、合わせた両手の形状は、自然と前後方向に長くなる。
【０００５】
しかしながら、従来の蛇口から吐水される水は、吐水口の形状によって異なる形状を呈するので、水の形状や流れが両手の形状に合わなく、水が無駄になってしまうという欠点があった。さらに、水圧が上昇すると、水の噴出しが強くなり、飛び散ってしまうので、これも水の浪費となっていた。
【課題を解決するための手段】
【０００６】
本考案に係る蛇口は、ベースと、該ベースから湾曲するように上部前方に向かって延出する首部と、該首部の前端に設けられる頭部と、それらベース、首部及び頭部の内部を貫通する吐水管と、該吐水管におけるベースの底面に形成される入水口と、該吐水管における頭部に形成される高さが広さより長い吐水口とを有し、この構造によって、手を洗う時に水を無駄なく有効的に利用することができる。
【０００７】
前記吐水口は、逆三角形などの形状でも構わない。
【０００８】
さらに、本考案の蛇口には、他のデザイン、つまり異なる形状のものもあり、例えば、吐水口が、上段部、中段部及び下段部に夫々対称的に形成される上段吐水口と、中段吐水口と、下段吐水口とを備え、その内、該上段吐水口は、該吐水口の上段部に形成されると共に、横長の長方形を呈するものであり、該中段吐水口は、該吐水口の中段部に形成されると共に、横長の長方形を呈し、該上段吐水口よりも小さいものであり、該下段吐水口は、吐水口の下段部に形成されると共に、横長の長方形を呈し、該中段吐水口のよりも小さいものである。
【考案の効果】
【０００９】
本考案に係る蛇口は上記の課題を解決するものであることから、吐水した水で手を洗う時には、水が飛び散ることはないと共に、水を無駄なく有効的に利用することができるので、使用利便性に優れ、且つ水を最大限節約することができる。
【図面の簡単な説明】
【００１０】
【図１】本考案に係る蛇口の第一実施例の斜視図である。
【図２】本考案に係る蛇口の第一実施例の正面図である。
【図３】本考案に係る蛇口における第一実施例の使用方法を示す斜視図である。
【図４】本考案に係る蛇口の第二実施例の斜視図である。
【図５】本考案に係る蛇口の第二実施例の正面図である。
【図６】本考案に係る蛇口の第三実施例の斜視図である。
【図７】本考案に係る蛇口の第三実施例の正面図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１及び図２に示すように、本考案に係る蛇口の第一実施例は、底部に設けられるベース１１と、該ベース１１から湾曲するように上部前方に向かって延出する首部１２と、該首部１２の前端に設けられる頭部１３と、それらベース１１、首部１２及び頭部１３の内部を貫通する吐水管１４とからなる蛇口本体１０を有し、該吐水管１４におけるベース１１の底面に入水口１４１が形成されると共に、該吐水管１４における頭部１３に高さが広さより長い逆三角形の吐水口１４２が形成される。
【００１３】
図３に示すように、本考案に係る蛇口を使用する時は、水道水が吐水管１４の入水口１４１から入り吐水口１４２から吐水される。また、前記吐水口１４２は、高さが広さより長い逆二等辺三角形を呈することから、吐水した水が両手の形状に対応しているので、手を洗う時に水が飛び散ることはないと共に、水を無駄なく有効的に利用することができるまた、本考案に係る蛇口は、従来の蛇口に比べて、同量の水を吐水するが、従来の蛇口の円形または細長形状の出口より水の利用効率が格段に上がった。さらに、吐水した水の形状が、両手を合わせた形状に対応するので、水圧による水が飛び散りを防ぎ、水の節約にも繋がる。
【００１４】
尚、本考案に係る蛇口は、第一実施例における高さが広さより長い逆二等辺三角形を呈する吐水管１４の吐水口１４２以外に、例えば、図４及び図５に示す第二実施例及び図６及び図７に示す第三実施例に示すように、異なる形状に形成されても構わない。
【００１５】
図４及び図５に示すように、本考案に係る蛇口の第二実施例は、第一実施例の吐水口１４２の形状と異なる吐水口１４２Ａを有し、該吐水口１４２Ａは、上段部、中段部及び下段部と夫々対称的に形成される上段吐水口１４２１Ａと、中段吐水口１４２２Ａと、下段吐水口１４２３Ａとを備え、その内、該上段吐水口１４２１Ａは、該吐水口１４２Ａの上段部に形成されると共に、横長の長方形を呈するであるものであり、該中段吐水口１４２２Ａは、該吐水口１４２Ａの中段部に形成されると共に、横長の長方形を呈し、該上段吐水口１４２１Ａよりもやや小さいものであり、該下段吐水口１４２３Ａは、該吐水口１４２Ａの下段部に形成されると共に、横長の長方形を呈し、該中段吐水口１４２２Ａのよりもやや小さいものである。尚、この第二実施例における第一実施例と異なる部分は、吐水口１４２Ａのみであり、他の構造や効果などは第一実施例と同一であるので、それらの説明は省略する。
【００１６】
図６及び図７に示すように、本考案に係る蛇口の第三実施例は、第一実施例の吐水口１４２と異なる形状である吐水口１４２Ｂを有し、該吐水口１４２Ｂは、高さが広さより長い縦長の長方形を呈するものである。尚、この第三実施例における第一実施例と異なる部分は、吐水口１４２Ｂのみであり、他の構造や効果などは第一実施例と同一であるので、それらの説明は省略する。
【産業上の利用可能性】
【００１７】
本考案は上記の構成を有するので、吐水した水で手を洗う時には、水が飛び散ることはないと共に、水を無駄なく有効的に利用することができるので、使用利便性に優れ、且つ水を最大限節約することができる。
【符号の説明】
【００１８】
１０        蛇口本体
１１        ベース
１２        首部
１３        頭部
１４        吐水管
１４１      入水口
１４２、１４２Ａ、１４２Ｂ        吐水口
１４２１Ａ  上段吐水口
１４２２Ａ  中段吐水口
１４２３Ａ  下段吐水口
【図１】
0003161648.tif 000003
【図２】
0003161648.tif 000004
【図３】
0003161648.tif 000005
【図４】
0003161648.tif 000006
【図５】
0003161648.tif 000007
【図６】
0003161648.tif 000008
【図７】
0003161648.tif 000009